(57)【要約】【課題】構造が簡単で確実な動作を実現できる「ディスクの誤挿入防止機構」を提供すること。【解決手段】挿入口３ａを有する前面板３の外表面にシャッタ部材４を回動可能に支持すると共に、シャッタ部材４の構成部品であるプロテクタ９の背面にカム部９ｄを形成し、シャッタ部材４を挿入口３ａの幅方向中央部を塞ぐ閉塞位置に保持することにより、プレイ状態等に別のディスクが装置内へ誤挿入されることを阻止する。そして、イジェクト動作時にカム部９ｄにディスクＤの排出方向先端部を突き当て、ディスクＤの排出力をカム部９ｄによってシャッタ部材４の回転運動に変換することにより、ディスクＤの排出力を利用してシャッタ部材４が開放方向へ回転するようにした。【選択図】図５
2008097777.tif 000002
【特許請求の範囲】
【請求項１】
ディスクを挿入および排出するためのスリット状の挿入口が設けられた前面板と、この前面板の外表面に沿って回動可能なシャッタ部材と、このシャッタ部材を一方向へ回動付勢して前記挿入口の幅方向中央部を塞ぐ閉塞位置に保持するばね部材と、前記シャッタ部材を前記ばね部材の付勢力に抗して他方向へ回転駆動して前記挿入口を開放する開放位置に保持する駆動手段とを備え、
前記シャッタ部材の背面にディスクの排出方向に対して傾斜するカム部を形成し、前記挿入口の閉塞位置にある前記シャッタ部材に向けてディスクが排出されるとき、該ディスクの排出方向先端部を前記カム部に当接させることにより、前記シャッタ部材が開放方向へ回転するようにしたことを特徴とするディスクの誤挿入防止機構。
【請求項２】
請求項１の記載において、前記シャッタ部材にディスクの通過を許容するスリット状の切り欠きを設け、前記シャッタ部材が前記挿入口の閉塞位置にあるとき、前記切り欠きを前記挿入口に対して傾斜させると共に、前記シャッタ部材が前記挿入口の開放位置にあるとき、前記切り欠きを前記挿入口と平行に重ねるようにしたことを特徴とするディスクの誤挿入防止機構。
【請求項３】
請求項１または２の記載において、前記シャッタ部材が、前記前面板に軸支された金属製の回動アームと、この回動アームに一体化された合成樹脂製のプロテクタとからなり、このプロテクタに前記カム部が形成されていることを特徴とするディスクの誤挿入防止機構。
【発明の詳細な説明】
【技術分野】
【０００１】
本発明は、ＣＤやＤＶＤ等のディスクに対して情報の再生および／または記録が可能なディスク装置に係り、特に、前面板に設けられた挿入口からディスクを挿入／排出するスロットイン方式のディスク装置に備えられるディスクの誤挿入防止機構に関するものである。
【背景技術】
【０００２】
従来より、ディスク装置の外殻を構成する筐体の前面板にスリット状の挿入口を開設すると共に、この前面板にその外表面に沿って回動可能なシャッタ部材を配設し、ディスクが装置内に装填されているときに挿入口をシャッタ部材で閉塞することにより、装置内に別のディスクが挿入されるのを避けるようにした誤挿入防止機構が知られている（例えば、特許文献１参照）。前記シャッタ部材は互いに逆方向へ同期回転するようにギア結合された一対の回動アームからなり、これら回動アームはスプリングの弾発力によって閉塞方向へ付勢されている。また、一方の回動アームには先端側を前面板の外表面に弾接させた板ばねが片持ち状に取り付けられており、前面板にはこの回動アームの回動軌跡内に突出するストッパが設けられている。
【０００３】
このように概略構成されたディスクの誤挿入防止機構では、ディスクを装置内に装填可能なローディングスタンバイ状態にあるとき、両回動アームはディスク搬送機構等からの駆動力を受けて挿入口上方の開放位置まで回転駆動されているため、挿入口はディスクの挿入を許可している。この場合、一方の回動アームは板ばねの弾発力によって前面板の外表面から離間しているため、該回動アームはストッパと当接することなく前面板の外表面に沿って回動できる。一方、ディスクが装置内に装填されてプレイ状態等にあるとき、両回動アームはスプリングの付勢力によって挿入口の中央部両側をハの字状に横切る閉塞位置に保持されているため、別のディスクを挿入口内に挿入しようとすると、該ディスクの挿入力によって一方の回動アームが板ばねの弾発力に抗して前面板の外表面側に押し付けられる。その結果、この回動アームがストッパに当接してロック状態となるため、装置内に別のディスクが誤挿入されることを回動アームによって防止することができる。また、装置内に装填されたディスクを排出するイジェクト時は、挿入口をハの字状に斜めに閉塞している両回動アームの背面にディスクの外周縁を突き当てることにより、ディスクの排出力によって両回動アームがスプリングの弾発力に抗して開放方向へ回動する。
【特許文献１】特開２００５−２６７７８１号公報（第７−８頁、図２）
【発明の開示】
【発明が解決しようとする課題】
【０００４】
前述したように、特許文献１に開示された従来の誤挿入防止機構は、シャッタ部材である一対の回動アームを前面板の外表面に沿って回動可能に配設したにも拘わらず、これら両回動アームによって装置内に別のディスクが誤挿入されることを防止することができると共に、ディスクの排出力によって両回動アームを開放方向へ回動することができるため、シャッタ部材が前面板の外方へ回動して挿入口を開放するフラップ式のものに比べると、ディスク装置全体の奥行き寸法を小型化できるという利点がある。しかしながら、一方の回動アームをその回動軌跡内に突出するストッパに対して選択的に当接させる構成となっているため、該回動アームを前面板の外表面に対して接離させるための板ばねが必要となり、この板ばねや両回動アームによって部品コストや組立コストが高騰するという問題があった。また、閉塞位置で一対の回動アームは挿入口の中央部両側をハの字状に横切っており、挿入口の中央部に両回動アームで挟まれた幅狭な隙間が存在するため、直径が８ｃｍの小径ディスクを上下方向に揺らしながら両回動アーム間に無理矢理押し込むと、該ディスクが挿入口中央部の隙間をすり抜けて装置内に入ってしまうことがあり、ストッパ機構を付設したのにも拘わらずディスクが誤挿入されてしまうという不具合があった。
【０００５】
なお、シャッタ部材を前面板の外表面に沿って回動可能な１つの回動アームによって構成し、この回動アームを挿入口の幅方向中央部を塞ぐ閉塞位置に保持するようにした誤挿入防止機構も知られており、かかる誤挿入防止機構においては、ディスクが装置内に装填されてプレイ状態等にあるときに別のディスクを挿入口内に挿入しようとすると、該ディスクの挿入方向先端部が挿入口の中央部を塞いでいる回動アームに突き当たってそれ以上の挿入を阻止されるため、わざわざ複雑なストッパ機構を付設しなくてもディスクの誤挿入を確実に防止することができる。しかしながら、装置内に装填されたディスクを排出するイジェクト時に、ディスクの排出方向先端部が挿入口の中央部を塞いでいる回動アームに向かって突き当たることになるため、ディスクの排出力によって回動アームを開放方向へ回動することができず、回動アームを開放するための駆動機構を別途設けなければならないという難点がある。
【０００６】
本発明は、このような従来技術の実情に鑑みてなされたもので、その目的は、構造が簡単で確実な動作を実現できるディスクの誤挿入防止機構を提供することにある。
【課題を解決するための手段】
【０００７】
本発明は、前面板の外表面に沿って回動可能なシャッタ部材の背面にカム部を形成し、このシャッタ部材を挿入口の幅方向中央部を塞ぐ閉塞位置に保持することにより、プレイ状態等に別のディスクが装置内へ誤挿入されることを阻止し、イジェクト動作時に挿入口の幅方向中央部を塞ぐシャッタ部材のカム部にディスクの排出方向先端部を当接させることにより、ディスクの排出力を利用してシャッタ部材が開放方向へ回転するようにした。
【発明の効果】
【０００８】
本発明によるディスクの誤挿入防止機構は、前面板の外表面に沿って回動可能に配設されたシャッタ部材の背面にカム部を形成し、このシャッタ部材を挿入口の幅方向中央部を塞ぐ閉塞位置に保持することにより、プレイ状態等に別のディスクが装置内へ誤挿入されることを阻止すると共に、イジェクト動作時に挿入口の幅方向中央部を塞ぐシャッタ部材のカム部にディスクの排出方向先端部を当接させることにより、ディスクの排出力を利用してシャッタ部材が開放方向へ回転するようにしたので、１つのシャッタ部材を用いた簡単な構造でディスクの誤挿入を確実に防止することができる。
【発明を実施するための最良の形態】
【０００９】
本発明によるディスクの誤挿入防止機構は、ディスクを挿入および排出するためのスリット状の挿入口が設けられた前面板と、この前面板の外表面に沿って回動可能なシャッタ部材と、このシャッタ部材を一方向へ回動付勢して前記挿入口の幅方向中央部を塞ぐ閉塞位置に保持するばね部材と、前記シャッタ部材を前記ばね部材の付勢力に抗して他方向へ回転駆動して前記挿入口を開放する開放位置に保持する駆動手段とを備え、前記シャッタ部材の背面にディスクの排出方向に対して傾斜するカム部を形成し、前記挿入口の閉塞位置にある前記シャッタ部材に向けてディスクが排出されるとき、該ディスクの排出方向先端部を前記カム部に当接させることにより、前記シャッタ部材が開放方向へ回転するように構成した。
【００１０】
このように構成されたディスクの誤挿入防止機構によれば、シャッタ部材がばね部材に付勢されて挿入口の幅方向中央部を塞ぐ閉塞位置に保持されているときに、このシャッタ部材に向けてディスクが挿入されると、該ディスクの挿入方向先端部がシャッタ部材に突き当たってそれ以上の挿入が阻止されるため、複雑なストッパ機構を付設しなくてもディスクの誤挿入を確実に防止することができる。また、装置内に装填されたディスクを排出するイジェクト動作時に、挿入口の幅方向中央部を塞いでいるシャッタ部材の背面に形成されたカム部にディスクの排出方向先端部が当接すると、該ディスクの排出力がカム部によってシャッタ部材の回転運動に変換されるため、ディスクの排出力を利用してシャッタ部材を開放位置へ回動することができ、この点からも誤挿入防止機構の構造を簡略化することができる。
【００１１】
上記の構成において、シャッタ部材の形状は特に限定されないが、シャッタ部材にディスクの通過を許容するスリット状の切り欠きを設け、この切り欠きを挿入口に対し傾斜させて閉塞位置に保持すると共に、切り欠きを挿入口と平行に重ねて開放位置に保持するようにすると、閉塞位置にあるシャッタ部材によって挿入口の幅方向中央部を含む広い範囲を塞ぐことができて好ましい。
【００１２】
また、上記の構成において、シャッタ部材を、前面板に軸支された金属製の回動アームと、この回動アームに一体化された合成樹脂製のプロテクタとで構成し、このプロテクタの背面にカム部を形成すると、金属製の回動アームによってシャッタ部材全体の剛性を高めた上で、合成樹脂製のプロテクタによってディスクの損傷を防止することができて好ましい。
【実施例】
【００１３】
実施例について図面を参照して説明すると、図１はチェンジャ型ディスク装置の要部を示す断面図、図２はチェンジャ型ディスク装置の内部構造を示す斜視図、図３は可変動力部の内部機構を示す平面図、図４は可変動力部の内部機構を示す裏面図、図５はシャッタ部材が閉鎖位置にあるときの誤挿入防止機構を示す正面図、図６はシャッタ部材が開放位置にあるときの誤挿入防止機構を示す正面図、図７は誤挿入防止機構の要部を背面側から見た斜視図である。
【００１４】
本実施例に係るチェンジャ型ディスク装置は、外形寸法が８ｃｍのディスクＤ（小径ディスク）と１２ｃｍのディスクＤ（大径ディスク）をそれぞれ再生可能で、かつ、複数枚の大径ディスクＤを収納してそのうち１枚のディスクＤを選択的に再生可能なスロットイン方式のディスク再生装置である。図１に示すように、このチェンジャ型ディスク装置は、箱形形状の筐体１と該筐体１の前方に配設されたノーズ部材２とを備えており、ノーズ部材２にはディスクＤを挿通可能な横長形状の開口２ａが開設されている。ノーズ部材２は筐体１の前面板３に固定されており、この前面板３にはノーズ部材２の開口２ａに連通するスリット状の挿入口３ａが開設されている。これらノーズ部材２と前面板３との間には所定の間隙Ｓが確保されており、この間隙Ｓ内にディスクの誤挿入防止機構が配設されている。
【００１５】
図２および図５，６に示すように、この誤挿入防止機構は、前面板３の外表面に回動可能に支持されたシャッタ部材４と、シャッタ部材４の回転中心軸に同軸配置されたクラッチ板５と、クラッチ板５を介してシャッタ部材４を回転駆動する駆動部材６と、シャッタ部材４を閉塞方向へ回動付勢するスプリング７等を備えている。
【００１６】
シャッタ部材４は挿入口３ａを開閉するものであり、このシャッタ部材４は、金属板をプレス加工することにより長尺状に形成された回動アーム８と、回動アーム８に一体化された合成樹脂製のプロテクタ９とで構成されている。回動アーム８はピン１０を用いて挿入口３ａ上方の前面板３に回動可能に支持されており、このピン１０を回動支点として回動アーム８は前面板３の外表面に沿って回動することができる。プロテクタ９にはディスクＤの通過を許容するスリット状の切り欠き９ａが形成されており、この切り欠き９ａを境にした上側の支持部９ｂが回動アーム８にねじ止めされている。また、プロテクタ９の切り欠き９ａを境にした下側部分の先端には三角形状に拡がった当接受部９ｃが形成されており、この当接受部９ｃによって動作される検出スイッチ１１が前面板３に固定されたプリント基板１２上に実装されている。図７に示すように、プロテクタ９には切り欠き９ａから当接受部９ｃの背面にかけてカム部９ｄが形成されており、このカム部９ｄはディスクＤの排出方向に対して鋭角で交わるように傾斜している。そして、このように回動アーム８とプロテクタ９とで構成されたシャッタ部材４が前面板３の外表面に沿って回動可能であるため、ノーズ部材２と前面板３間に画成される狭い間隙Ｓ内にシャッタ部材４を含む誤挿入防止機構を収納することができ、その分、チェンジャ型ディスク装置全体の奥行き寸法が小型化されている。
【００１７】
図２と図５はシャッタ部材４が挿入口３ａの閉塞位置にある状態を示しており、この場合、プロテクタ９の切り欠き９ａが挿入口３ａの幅方向中央部を斜めに横切ることにより、挿入口３ａの両端部を除く大部分は支持部９ｂと当接受部９ｃによって閉塞されている。また、図６はシャッタ部材４が挿入口３ａの開放位置にある状態を示しており、この場合、切り欠き９ａが水平になって挿入口３ａと重なることにより、支持部９ｂと当接受部９ｃはディスクＤの通過の妨げにならない挿入口３ａの上下位置にある。
【００１８】
クラッチ板５は回動アーム８の回動支点であるピン１０に回転可能に軸支されており、このピン１０に捻りコイルばね１３が巻装されている。クラッチ板５には作動受部５ａとばね受部５ｂが一体形成されており、捻りコイルばね１３の両腕部をこのばね受部５ｂと回動アーム８に形成されたばね受部８ａとに掛止めすることにより、回動アーム８とクラッチ板５は捻りコイルばね１３の弾発力によって常時係合する方向へ付勢されている。クラッチ板５の作動受部５ａは駆動部材６の突部６ａに当接しており、この駆動部材６は後述するガイド体間隔変更機構（可変動力部）を駆動源として前面板３の左右方向（矢印Ｘ１−Ｘ２方向）へスライド移動するようになっている。また、スプリング７は前面板３と回動アーム８との間に張架されており、このスプリング７の引張力によってシャッタ部材４（回動アーム８とプロテクタ９）が図５の時計回り方向（矢印Ａ１方向）へ付勢されている。
【００１９】
図１〜図４に示すように、筐体１は互いに接合・一体化された上部シャーシ１６と下部シャーシ１７とで構成されており、前面板３はこれら上部シャーシ１６と下部シャーシ１７の前面に複数本のネジを用いて固定されている。上部シャーシ１６にはディスク搬送機構１８やディスク収納部１９が配設されており、このディスク搬送機構１８によって挿入口３ａとプレイ位置間ならびにプレイ位置とディスク収納部１９間でディスクＤの搬送が行われる。一方、下部シャーシ１７には光ピックアップ等を搭載した駆動ユニット１４が配設されており、この駆動ユニット１４はドライブ駆動機構２０によって筐体１内の退避位置と駆動位置との間で前後進されるようになっている。なお、図２と図３において上部シャーシ１６の天板部は省略されており、図４において上部シャーシ１６は天地逆に示されている。
【００２０】
ディスク搬送機構１８について簡単に説明すると、このディスク搬送機構１８はディスクＤの搬送方向に対して直交する向きにスライド移動可能な第１および第２のガイド部（図示せず）を備えており、両ガイド部の間隔はモータ２１を駆動源として動作されるガイド体間隔変更機構（可変動力部）によって変更可能となっている。上部シャーシ１６の天板部の裏面にはモータ２１とホイールギヤ２２およびスライドアーム２３等が配設されており、前述した駆動部材６はスライドアーム２３に重ねて配置されている。スライドアーム２３に形成したラック部２３ａはホイールギヤ２２に噛合しており、モータ２１の回転に伴ってスライドアーム２３は矢印Ｘ１−Ｘ２方向へ移動する。駆動部材６も上部シャーシ１６の天板部に矢印Ｘ１−Ｘ２方向へ移動可能に支持されており、前述したように駆動部材６の突部６ａが前面板３を挿通してクラッチ板５の作動受部５ａに当接することにより、この駆動部材６はシャッタ部材４の復帰手段であるスプリング７の弾性力により矢印Ｘ２方向へ付勢されている。また、駆動部材６には突部６ａと対向する位置に受部６ｂが折曲形成されており、この受部６ｂはスライドアーム２３に形成した作動突起２３ｂに対向している。これにより、モータ２１の回転に伴ってスライドアーム２３が矢印Ｘ１方向の末端位置へ移動したとき、突部６ａが作動突起２３ｂに押圧されて駆動部材６が矢印Ｘ１方向へ移動する。
【００２１】
なお、図示省略されているが、ホイールギヤ２２にはガイド体間隔変更機構の構成部材である一対のスライド板（図示省略）が噛合されており、前述した第１および第２のガイド部はこれらスライド板に設けられている。そして、第１のガイド部に溝部を有する複数の搬送プーリＰ１，Ｐ２，Ｐ３（図１参照）等を支持し、上部シャーシ１６の天板部に配設した別のモータ（図示省略）から各搬送プーリ群に駆動力を伝達すると共に、第２のガイド部にディスクＤの搬送方向へ直線状に延びるガイド溝を有する搬送ガイド体を設けることにより、搬送プーリ群と搬送ガイド体との間に挟持したディスクＤに回転駆動力を付与して、該ディスクＤを挿入口３ａとプレイ位置間やプレイ位置とディスク収納部１９間で搬送するようになっている。また、モータ２１を駆動源として一対のスライド板をスライド移動させることにより、第１および第２のガイド部の搬送プーリ群と搬送ガイド体とを近接離反させることができるので、小径ディスクＤでも大径ディスクＤでも搬送することができるようになっている。
【００２２】
このように構成されたチェンジャ型ディスク装置において、任意のディスクＤを装置内に装填可能なローディングスタンバイ状態にあるとき、ガイド体間隔変更機構の第１および第２のガイド部は最も互いに近接した位置にあり、搬送プーリ群と搬送ガイド体は小径ディスクＤの直径よりも狭い間隔で対向している。この場合、ガイド体間隔変更機構の駆動源であるモータ２１の回転に伴ってスライドアーム２３は矢印Ｘ１方向の末端位置へ移動しており、スライドアーム２３の作動突起２３ｂが駆動部材６の受部６ｂを同方向へ押圧するため、駆動部材６は矢印Ｘ１方向へスライド動作される。その結果、図６に示すように、駆動部材６の突部６ａによってクラッチ板５とシャッタ部材４（回動アーム８とプロテクタ９）が反時計回り方向（矢印Ａ２方向）へ回動し、検出スイッチ１２がプロテクタ９の当接受部９ｃから離反してオン動作される。これにより、プロテクタ９の切り欠き９ａが水平になって挿入口３ａと平行に重なり、支持部９ｂと当接受部９ｃが挿入口３ａの上下の開放位置へと退避するため、挿入口３ａが開放状態となってディスクＤの挿入が許可され、任意のディスクＤをノーズ部材２の開口２ａから挿入口３ａを経て筐体１内へ挿入することができる。
【００２３】
なお、このローディングスタンバイ時にシャッタ部材４の自由な回動が阻止された場合、例えばユーザがノーズ部材２の開口２ａから指等を差し込んでプロテクタ９の一部を無理に押さえ付けるという悪戯がなされた場合、駆動部材６の突部６ａによってクラッチ板５が回動阻止された回動アーム８に対して回転することになる。したがって、駆動部材６からの大きな駆動力が回動アーム８に直接作用することがクラッチ板５の回転によって吸収され、それによってシャッタ部材４の損傷を防止することができる。
【００２４】
かかるローディングスタンバイ状態でディスクＤが挿入口３ａから筐体１内へ挿入されると、モータ２１を駆動源として第１および第２のガイド部の間隔がディスクＤの搬送に好適な距離に設定されると共に、図示せぬ別のモータを駆動源として搬送プーリ群が回転駆動されるため、挿入されたディスクＤは第１および第２のガイド部間に挟持されて筐体１の奥部へと搬送されていき、そのままプレイ動作されたりディスク収納部１９に収納される。この場合、第１および第２のガイド部の間隔は最も近接した位置から外側へ広げられるため、スライドアーム２３が矢印Ｘ１方向の末端位置からＸ２方向へ移動し、それに伴って駆動部材６もＸ２方向へと移動する。その結果、シャッタ部材４がスプリング７の引張力によって時計回り方向（矢印Ａ１方向）へ回動し、図２と図５に示すように、プロテクタ９の切り欠き９ａが挿入口３ａの幅方向中央部を斜めに横切り、挿入口３ａの両端部を除く大部分がプロテクタ９の支持部９ｂと当接受部９ｃによって閉塞される。また、プロテクタ９の閉塞方向への回動に伴って検出スイッチ１２が当接受部９ｃに押圧されてオフ動作されるため、その切替信号に基づいてディスクＤが筐体１内に装填されたことが検出される。
【００２５】
ディスクＤのプレイ動作中またはディスク収納部１９とプレイ位置間でのチェンジ動作中においては、上記スライドアーム２３がＸ２方向へ移動した状態に保持され、第１および第２のガイド部は互いに離間した状態となっているため、図２と図５に示すように、シャッタ部材４は挿入口３ａの両端部を除く大部分を塞ぐ閉塞位置に維持されている。この状態で、ユーザが別のディスクＤをノーズ部材２の開口２ａ内に挿入すると、ディスクＤにおける挿入方向先端部がプロテクタ９の表面に突き当たるため、該ディスクＤのそれ以上の挿入がプロテクタ９によって阻止される。このとき、シャッタ部材４は挿入口３ａの幅方向中央部を斜めに横切る姿勢に保持されているため、挿入されたディスクＤが大径ディスクの場合はもちろんのこと、挿入されたディスクＤが小径ディスクであった場合も、ディスクＤの挿入方向先端部は必ずプロテクタ９の表面に突き当たる。したがって、筐体１内でディスクＤの動作中に誤って別のディスクＤがノーズ部材２の開口２ａ内に挿入されたとしても、このディスクＤはシャッタ部材４によって挿入口３ａを通過することができず、筐体１内に別のディスクＤが誤挿入されるのを確実に防止することができる。
【００２６】
また、筐体１内に装填されたディスクＤを排出するイジェクト動作時は、搬送プーリ群が挿入時と逆方向に回転駆動されることにより、ディスクＤが第１および第２のガイド部間に挟持されて筐体１の手前側へ搬送され、挿入口３ａを閉塞しているシャッタ部材４の背面（裏面）に当接する。このとき、図７（ａ）に示すように、挿入口３ａの幅方向中央部を斜めに横切るプロテクタ９の当接受部９ｃの背面にカム部９ｄが形成されており、このカム部９ｄがディスクＤの排出方向に対して鋭角で交わるように傾斜しているため、ディスクＤにおける排出方向先端部がカム部９ｄに突き当たると、ディスクＤの排出力がカム部９ｄによってシャッタ部材４の回転運動に変換される。その結果、ディスクＤの排出力によってシャッタ部材４が開放方向へ回動されるため、図７（ｂ）に示すように、このディスクＤを挿入口３ａと開口２ａを通ってノーズ部材２の外部に取り出すことができる。
【００２７】
なお、上記実施例では、金属板製の回動アーム８に合成樹脂製のプロテクタ９を固定してシャッタ部材４を構成した場合について説明したが、これら回動アームとプロテクタを合成樹脂の一体成形品としたシャッタ部材を用いることも可能である。
【図面の簡単な説明】
【００２８】
【図１】実施例に係るチェンジャ型ディスク装置の要部を示す断面図である。
【図２】チェンジャ型ディスク装置の内部構造を示す斜視図である。
【図３】可変動力部の内部機構を示す平面図である。
【図４】可変動力部の内部機構を示す裏面図である。
【図５】シャッタ部材が閉鎖位置にあるときの誤挿入防止機構を示す正面図である。
【図６】シャッタ部材が開放位置にあるときの誤挿入防止機構を示す正面図である。
【図７】誤挿入防止機構の要部を背面側から見た斜視である。
【符号の説明】
【００２９】
１  筐体
２  ノーズ部材
２ａ  開口
３  前面板
３ａ  挿入口
４  シャッタ部材
６  駆動部材（駆動手段）
６ａ  突部
７  スプリング（ばね部材）
８  回動アーム
９  プロテクタ
９ａ  切り欠き
９ｂ  支持部
９ｃ  当接受部
９ｄ  カム部
１０  ピン
Ｄ  ディスク
【図１】
2008097777.tif 000003
【図２】
2008097777.tif 000004
【図３】
2008097777.tif 000005
【図４】
2008097777.tif 000006
【図５】
2008097777.tif 000007
【図６】
2008097777.tif 000008
【図７】
2008097777.tif 000009